(57)【要約】【課題】この発明は、より小型化、軽量化が実現でき、より省消費電力化ができる産業上の利用価値が高いシフトレジスタ回路、表示装置およびその表示装置を備えた携帯機器を提供する。【解決手段】互い逆相の複数のクロック信号（ＣＬＫ１，ＣＬＫ２）に応じて駆動されるシフトレジスタ・ユニット（ＳＲ）を複数段（ＳＲ１，ＳＲ２，ＳＲ３・・・）直列接続し、スタートパルス信号（ＳＴＨ）を受け入れ、これを前記クロック信号（ＣＬＫ１，ＣＬＫ２）に従って順次転送するシフトレジスタ回路１０であって、前記クロック信号（ＣＬＫ２）に形成されたスタートパルス生成信号（ＳＰ１）に基づいて、スタートパルス信号を生成するスタートパルス信号生成部１３を設けた。【選択図】  図３
2006269002.tif 000002
【特許請求の範囲】
【請求項１】
互い逆相の複数のクロック信号に応じて駆動されるシフトレジスタ・ユニットを複数段直列接続し、スタートパルス信号を受け入れ、これを前記クロック信号に従って順次転送するシフトレジスタ回路であって、
前記クロック信号に形成されたスタートパルス生成信号に基づいて、スタートパルス信号を生成するスタートパルス信号生成部を有することを特徴とするシフトレジスタ回路。
【請求項２】
前記スタートパルス信号生成部は、前記複数のクロック信号を入力し、一方のクロック信号又は他方のクロック信号に形成された前記一方のクロック信号と同相のスタートパルス生成信号とに基づいて、スタートパルス信号を形成するＮＡＮＤ回路とインバータ回路からなるＡＮＤ回路若しくはＮＯＲ回路からなることを特徴とする請求項１に記載のシフトレジスタ回路。
【請求項３】
前記スタートパルス信号生成部は、スタートパルス生成信号を所定時間遅延する遅延回路を備えたことを特徴とする請求項２に記載のシフトレジスタ回路。
【請求項４】
前記シフトレジスタ回路は、双方向のスキャンが可能であり、前記スタートパルス信号生成部は、前記スキャン方向に応じて前記クロック信号に形成されたスタートパルス生成信号に基づいて、スタートパルス生成信号を生成することを特徴とする請求項１に記載のシフトレジスタ回路。
【請求項５】
前記請求項１に記載のシフトレジスタ回路が、アクティブマトリクス型表示パネルの透明基板上に一体形成されていることを特徴とする表示装置。
【請求項６】
映像信号の同期信号に基づいて、前記クロック信号にスタートパルス生成信号を形成するスタートパルス信号生成部を備え、前記シフトレジスタ回路に前記クロック信号を出力する駆動部を備えたことを特徴とする前記請求項５に記載の表示装置。
【請求項７】
映像信号の同期信号に基づいて、前記クロック信号にスタートパルス生成信号を形成するスタートパルス信号生成部を備え、前記シフトレジスタ回路に前記クロック信号を出力する前記請求項５に記載の表示装置を駆動する駆動用半導体チップ。
【請求項８】
前記請求項５に記載の表示装置を備えたことを特徴とする携帯機器。
【発明の詳細な説明】
【技術分野】
【０００１】
この発明は、直列接続された複数のシフトレジスタを有し、スタートパルス信号を受け入れ、これをクロック信号に応じて順次転送していくシフトレジスタ回路，そのシフトレジスタ回路を備えた表示装置およびその表示装置を備えた携帯機器に関する。
【背景技術】
【０００２】
従来からＬＣＤ（liquid crystal display）、有機ＥＬ（electroluminescence）ディスプレイなどの１つの基板上に多数の画素を形成したフラットディスプレイが広く普及している。このフラットディスプレイには、マトリクス配置された画素毎に選択トランジスタを配置して、各画素における表示を制御するアクティブマトリクス型の表示パネルがあり、高精細な表示に適している。
【０００３】
このアクティブマトリクス型の表示パネルにおいては、表示対象となるビデオ信号を二次元の各画素に供給するために、表示ラインを垂直方向にシフトさせる垂直駆動回路と、水平方向の１画素ずつに順次映像信号を供給するために水平駆動回路が必要になる。
【０００４】
水平駆動回路においては、水平駆動回路のシフトレジスタ回路において、１水平期間の開始を示すスタートパルス信号のハイレベルを取り込み、これを水平転送クロック信号に従って転送する。
【０００５】
そして、水平転送クロック信号をビデオ信号の画素毎のデータ信号と同期させることで、水平シフトレジスタ回路の出力により、ビデオ信号ラインと、パネルの各列毎のデータラインとの間のスイッチを開き、画素毎のデータ信号を対応するデータラインに供給することができる。
【０００６】
一方、垂直駆動回路においても、垂直駆動回路のシフトレジスタ回路において垂直転送用のスタートパルス信号を垂直転送クロック信号に応じて転送して、データ信号を供給すべきパネルの行を選択する。
【０００７】
そして、水平駆動回路と垂直駆動回路によって、各画素のデータ信号が当該画素に供給される。
【０００８】
図６は、複数のシフトレジスタ・ユニットＳＲを複数段直列接続して構成されたシフトレジスタ回路のブロック構成図である。
【０００９】
このシフトレジスタ回路は、図６に示すように、複数のシフトレジスタ・ユニットＳＲ１，ＳＲ２，ＳＲ３，ＳＲ４，・・・を複数段直列接続して構成されている。そして、各段のシフトレジスタ・ユニットＳＲには、互いに逆相のクロック信号ＣＬＫ１，ＣＬＫ２が、それぞれのクロック入力端子ｃｌｋ１ｉｎ，ｃｌｋ２ｉｎを介して供給されている。
【００１０】
また、初段目のシフトレジスタ・ユニットＳＲ１の入力端子（in）には、スタートパルス信号（ＳＴＨ）が供給されている。２段目以降の各段のシフトレジスタ・ユニットＳＲ２，ＳＲ３，ＳＲ４，・・・の入力端子（in）には、前段のシフトレジスタ・ユニットＳＲ１，ＳＲ２，ＳＲ３，ＳＲ４，・・・の出力端子（out）から出力されるパルスＳ１，Ｓ２，Ｓ３・・・が入力されている。
【００１１】
そして、各シフトレジスタ・ユニットＳＲ１，ＳＲ２，ＳＲ３，ＳＲ４，・・・には、クロック信号ＣＬＫ１，ＣＬＫ２が入力され、スタートパルス信号ＳＴＨが転送される。また、各各シフトレジスタ・ユニットＳＲ１，ＳＲ２，ＳＲ３，ＳＲ４，・・・からは、選択信号が出力される。
【００１２】
なお、シフトレジスタ回路に関する先行技術としては、例えば、以下の特許文献１がある。
【特許文献１】特開平８−２１２７９３号公報
【発明の開示】
【発明が解決しようとする課題】
【００１３】
上述した従来のシフトレジスタ回路では、スタートパルス信号（ＳＴＨ）を入力するために、専用の配線や入力端子や回路が必要となり、その分だけ回路規模が大きくなり、且つ、消費電流も大きくなるという問題があった。また、携帯機器の小型化、軽量化又はデザインの多様化、環境負荷への配慮により、携帯機器に搭載される表示装置は、より小型化、軽量化、省スペース化が要求され、更に、より省消費電力化の要望も高い。
【００１４】
この発明は、上記のような課題を解決するためになされたものであり、この発明の１つの目的は、スタートパルス信号（ＳＴＨ）をシフトレジスタ回路の内部で作成して、スタートパルス信号（ＳＴＨ）の外部入力を削除することで回路規模を小さくして、より小型化、軽量化が実現でき、更には、回路規模を小さくすることで、より省消費電力化が実現可能なシフトレジスタ回路，そのシフトレジスタ回路を備えた表示装置、その表示装置に用いられる駆動用半導体チップおよびその表示装置を備えた携帯機器を提供することである。
【課題を解決するための手段】
【００１５】
上記目的を達成するために、この発明の第１の局面によるシフトレジスタ回路（「シフトレジスタ回路１０」は対応する一例）は、互い逆相の複数のクロック信号に応じて駆動されるシフトレジスタ・ユニット（「シフトレジスタ・ユニットＳＲ１」は対応する一例）を複数段直列接続し、スタートパルス信号（「スタートパルス信号（ＳＴＨ）」は対応する一例）を受け入れ、これを前記クロック信号（「クロック信号ＣＬＫ１，ＣＬＫ２」は対応する一例）に従って順次転送するシフトレジスタ回路であって、前記クロック信号に形成されたスタートパルス生成信号（「スタートパルス生成信号ＳＰ１」は対応する一例）に基づいて、スタートパルス信号を生成するスタートパルス信号生成部（「スタートパルス信号生成部１３」は対応する一例）を設けたことを特徴とするシフトレジスタ回路。
【００１６】
この第１の局面によるシフトレジスタ回路では、上記のように、スタートパルス信号生成部１３を設け、スタートパルス信号（ＳＴＨ）をシフトレジスタ回路で作成する構成としたため、スタートパルス信号を外部から入力する必要がなくなり、回路規模を小さくすることができると共に、入力端子数も削減して回路規模を小さくすることができ、消費電力を低減することができる。従って、より小型化、軽量化が実現でき、より省消費電力化ができる産業上の利用価値が高いシフトレジスタ回路、表示装置およびその表示装置を備えた携帯機器を提供することができる。
【００１７】
この発明の第２の局面によるシフトレジスタ回路（「シフトレジスタ回路１０」は対応する一例）は、上記第１の局面によるシフトレジスタ回路において、好ましくは、前記スタートパルス信号生成部（「スタートパルス信号生成部１３」は対応する一例）は、前記複数のクロック信号（「クロック信号ＣＬＫ１，ＣＬＫ２」は対応する一例）を入力し、一方のクロック信号又は他方のクロック信号に形成された前記一方のクロック信号と同相のスタートパルス生成信号（「スタートパルス生成信号ＳＰ１」は対応する一例）とに基づいて、スタートパルス信号を形成するＮＡＮＤ回路（「ＮＡＮＤ回路１１」は対応する一例）とインバータ回路（「インバータ回路１２」は対応する一例）からなるＡＮＤ回路若しくはＮＯＲ回路（「ＮＯＲ回路１６」は対応する一例）からなる。
【００１８】
このように構成すれば、更に、半導体技術により、スタートパルス信号生成部をシフトレジスタ回路に形成することができる。
【００１９】
この発明の第３の局面によるシフトレジスタ回路（「シフトレジスタ回路１０」は対応する一例）は、上記第２の局面によるシフトレジスタ回路において、好ましくは、前記スタートパルス信号生成部（「スタートパルス信号生成部１３」は対応する一例）は、スタートパルス生成信号（「スタートパルス生成信号ＳＰ１」は対応する一例）を所定時間遅延する遅延回路を備えた。
【００２０】
このように構成すれば、更に、画素の書き込みタイミング、表示装置の動作タイミングを最適に調整、設計することができる。
【００２１】
この発明の第４の局面によるシフトレジスタ回路（「シフトレジスタ回路１０」は対応する一例）は、上記第１の局面によるシフトレジスタ回路において、好ましくは、前記シフトレジスタ回路は、双方向のスキャンが可能であり、前記スタートパルス信号生成部（「スタートパルス信号生成部１３、スタートパルス信号生成部１６」は対応する一例）は、前記スキャン方向に応じて前記クロック信号に形成されたスタートパルス生成信号（「スタートパルス生成信号ＳＰ１」は対応する一例）に基づいて、スタートパルス生成信号を生成する。
【００２２】
このように構成すれば、更に、双方向スキャンタイプのシフトレジスタ回路に本発明を適用することができる。
【００２３】
この発明の第５の局面による表示装置（「液晶表示モジュール４００」は対応する一例）は、上記第１の局面によるシフトレジスタ回路において、好ましくは、前記シフトレジスタ回路が、アクティブマトリクス型表示パネルの透明基板（「透明基板４１０」は対応する一例）上に一体形成されている。
【００２４】
このように構成すれば、更に、ガラス基板や樹脂等のフレキシブル基板上にシフトレジスタ回路を設け，表示装置の外付けの半導体チップ等の周辺回路をできるだけ減らすことができる。
【００２５】
この発明の第６の局面による表示装置（「液晶表示モジュール４００」は対応する一例）は、上記第５の局面による表示装置において、好ましくは、映像信号の同期信号に基づいて、前記クロック信号（「クロック信号ＣＬＫ２」は対応する一例）にスタートパルス生成信号（「スタートパルス生成信号ＳＰ１」は対応する一例）を形成するスタートパルス信号生成部（「スタートパルス信号生成部１３」は対応する一例）を備え、前記シフトレジスタ回路に前記クロック信号を出力する駆動部（「駆動用ＩＣ６００」は対応する一例）を備えている。
【００２６】
このように構成すれば、更に、表示装置に駆動部を一体形成若しくは外付けＩＣとして組み込み構成することができるので、携帯機器に組み込む際の手間（例えば、設計上、組み立て作業上の手間）を減らすことができる。
【００２７】
この発明の第７の局面による駆動用半導体チップ（「駆動用ＩＣ６００」は対応する一例）は、上記第５の局面による表示装置を駆動する駆動用半導体チップにおいて、好ましくは、映像信号の同期信号に基づいて、前記クロック信号（「クロック信号ＣＬＫ２又はクロック信号ＣＬＫ２」は対応する一例）にスタートパルス生成信号（「スタートパルス生成信号ＳＰ１又はスタートパルス生成信号ＳＰ２」は対応する一例）を形成するスタートパルス信号生成部（「スタートパルス信号生成部１３」は対応する一例）を備え、前記シフトレジスタ回路（「シフトレジスタ回路１０」は対応する一例）に前記クロック信号を出力する。
【００２８】
このように構成すれば、更に、表示装置を駆動する駆動部を外付けの部品とすることができるので、表示装置の製造工程を簡単にして、表示装置の歩留まりを向上させることができると共に、半導体チップを流通に乗せる事ができ、産業上の利用価値が高まる。
【００２９】
この発明の第８の局面による携帯機器（「携帯機器８００」は対応する一例）は、上記第５の局面による表示装置（「液晶表示モジュール４００」は対応する一例）を備える。
【００３０】
このように産業上の利用価値の高い表示装置を組み込むことで、携帯機器の生産性、価格競争性を向上させることができる。
【発明の効果】
【００３１】
本発明によれば、回路規模を小さくして、より小型化、軽量化が実現できる。更には、回路規模を小さくすることにより省消費電力化が実現可能なシフトレジスタ回路，そのシフトレジスタ回路を備えた表示装置、その表示装置に用いられる駆動用半導体チップおよびその表示装置を備えた携帯機器を提供することである。
【発明を実施するための最良の形態】
【００３２】
次に、本発明を実施するための最良の形態（以下、実施形態という）について説明する。図１は、本発明の第１の実施形態に係るシフトレジスタ回路１０のブロック図であり、図３は、本発明の実施形態に係る携帯機器８００のブロック構成図である。
【００３３】
図３において、携帯機器８００は、例えば、デジタルスチルカメラ、デジタルビデオカメラ、携帯電話機、ＰＤＡ（personal digital assistance）、カーナビゲーション、音楽再生機器などの表示部を備えた携帯機器である。７００は該携帯機器８００において、映像データの表示、再生、撮像、記録、その他の機能を制御するための携帯機器制御部である。６００は液晶表示モジュール４００を駆動制御するための駆動用ＩＣチップであり、前記携帯機器制御部７００から供給された映像データや制御データを処理する映像信号処理部６１０、制御部６２０を備える。液晶表示モジュール４００は低温多結晶シリコンＴＦＴ（thin film transistor）−ＬＣＤであり、ガラスなどの透明基板４１０上にＨドライバ（水平駆動回路）１００、Ｖドライバ（垂直駆動回路）３００およびアクティブマトリクス型の液晶パネル２００が形成されている。尚、前記映像信号処理部６１０および制御部６２０は、ガラス基板４１０上に一体形成することも可能である。
【００３４】
また、アモルファスシリコンＴＦＴ−ＬＣＤ等の場合のようにガラスや樹脂などの透明基板４１０上にＨドライバ１００等の周辺回路を一体形成しない又はできない場合には、前記周辺回路を一つ乃至複数の外付けの駆動装置（ＩＣチップ）として構成することもできる。
【００３５】
また、このような外付けのＩＣチップ（前記駆動用ＩＣ６００を含む）は、ＣＯＢ（Chip On Board）、ＴＡＢ（Tape Automated Bonding）方式などによりガラス基板４１０上に実装する構成であってもよい。
【００３６】
映像信号処理部６１０は携帯機器制御部７００から入力される映像データ（ＶＤ）を処理して表示用のビデオ信号（ＶＳ）をＨドライバ１００に出力すると共に、水平および垂直同期信号からなるタイミング信号（ＴＳ）を制御部６２０に出力する。制御部６２０は携帯機器制御部７００からの制御信号（ＣＤ）を受けて、Ｈドライバ１００に水平走査制御信号ＨＳを出力し、Ｖドライバ３００に垂直走査制御信号ＶＳを出力する。前記水平走査制御信号ＨＳには、前記水平同期信号に同期した互いに逆相のクロック信号ＣＬＫ１，ＣＬＫ２が含まれ、前記垂直走査制御信号ＶＳには、前記垂直同期信号に同期した互いに逆相のクロック信号ＣＬＫ３，ＣＬＫ４が含まれる。
【００３７】
Ｈドライバ１００及びＶドライバ３００はシフトレジスタ回路１０及びシフトレジスタ回路３０を備えている。前記シフトレジスタ回路１０は、図１Ａに示すように、複数のシフトレジスタ・ユニットＳＲ１，ＳＲ２，ＳＲ３，ＳＲ４，・・・を複数段直列接続して構成を備えると共に、ＮＡＮＤ回路１１及びインバータ１２からなるスタートパルス信号（ＳＴＨ１）生成部１３を備えている。そして、前記各段のシフトレジスタ・ユニットＳＲ１，ＳＲ２，ＳＲ３，ＳＲ４，・・・には、互いに逆相のクロック信号ＣＬＫ１，ＣＬＫ２が、それぞれのクロック入力端子ｃｌｋ１ｉｎ，ｃｌｋ２ｉｎを介して供給されている。
【００３８】
また、クロック信号ＣＬＫ１，ＣＬＫ２は、ＮＡＮＤ回路１１に入力されており、ＮＡＮＤ回路１１及びインバータ１２からなるＡＮＤ回路は、スタートパルス信号（ＳＴＨ１）を生成するスタートパルス信号生成部１３を構成する。
【００３９】
初段のシフトレジスタ・ユニットＳＲ１の入力端子（in）には、前記スタートパルス信号生成部１３から出力されるスタートパルス信号（ＳＴＨ）が供給されている。２段目以降の各段のシフトレジスタ・ユニットＳＲ２，ＳＲ３，ＳＲ４，・・・の入力端子（in）には、前段のシフトレジスタ・ユニットＳＲ１，ＳＲ２，ＳＲ３，ＳＲ４，・・・の出力端子（out）から出力されるパルス信号Ｓ１，Ｓ２，Ｓ３・・・がスタートパルス信号として入力されている。
【００４０】
そして、各シフトレジスタ・ユニットＳＲ１，ＳＲ２，ＳＲ３，ＳＲ４，・・・には、クロック信号ＣＬＫ１，ＣＬＫ２が駆動クロックとして入力され、スタートパルス信号が順次転送されるように動作する。
【００４１】
シフトレジスタ・ユニットＳＲ１，ＳＲ２，ＳＲ３，ＳＲ４，・・・は、それぞれが図２に示したように構成されている。
【００４２】
入力端子（in）から入力されたスタートパルス信号は、第１のクロックドインバータ２０に入力され、第１のクロックドインバータ２０の出力は、インバータ２２およびインバータ２３に入力されている。また、インバータ２２の出力は、第２のクロックドインバータ２１に入力されており、第２のクロックドインバータ２１及びインバータ２２は、第１のクロックドインバータ２０の出力を保持する保持ループを形成する。
【００４３】
互いに逆相のクロック信号ＣＬＫ１，ＣＬＫ２は、第１のクロックドインバータ２０及び第２のクロックドインバータ２１に駆動クロックとして供給されている。すなわち、クロック信号ＣＬＫ１がハイレベル（ＣＬＫ２はロウレベル）のときは、第１のクロックドインバータ２０がオン（インバータ動作）し、第２のクロックドインバータ２１はオフ（出力ハイインピーダンス状態）する。反対に、すなわち、クロック信号ＣＬＫ１がロウレベル（ＣＬＫ２はハイレベル）のときは、第１のクロックドインバータ２０がオフ（出力ハイインピーダンス状態）し、第２のクロックドインバータ２１はオン（インバータ動作）する。
【００４４】
第１のクロックドインバータ２０には、前段のシフトレジスタ・ユニットＳＲの出力が入力される。第２のクロックドインバータ２１及びインバータ２２は、第１のクロックドインバータ２０の出力を保持する保持ループを形成する。
【００４５】
これにより、入力端子（in）から入力されたパルス信号は、第１のクロックドインバータ２０により、クロック信号ＣＬＫ１，ＣＬＫ２に同期してシフトされる。そして、第１のクロックドインバータ２０の出力は、インバータ２３によって反転され、次段のシフトレジスタ・ユニットＳＲ２，ＳＲ３，ＳＲ４，・・・にスタートパルス信号として供給される。
【００４６】
例えば、入力端子（in）にハイレベルレベルの信号が入力されているときに、クロック信号ＣＬＫ１がハイレベルになると、第１のクロックドインバータ２０により、反転されたロウレベルがインバータ２２，２３により反転され、出力端子（out）がハイレベルになる。次に、クロック信号ＣＬＫ１がロウレベルになると、第１のクロックドインバータ２０がオフし、ゲートインバータ２１がオンする。従って、インバータ２２の出力が入力側に反転供給され、インバータ２２の入力がロウレベル、出力がハイレベルに固定される。このため、出力端子（out）は、ハイレベルのままに維持される。
【００４７】
次に、クロック信号ＣＬＫ１がハイレベルになった時、入力端子（in）がすでにロウレベルであると、このロウレベルが第１のクロックドインバータ２０によって反転され、出力端子（out）がロウレベルに戻る。
【００４８】
このように、このシフトレジスタ・ユニットＳＲによって、クロック信号ＣＬＫ１の立ち上がり毎に、入力端子（in）の信号が取り込まれ、次のクロック信号ＣＬＫ１の立ち上がりまで、その状態を維持する。
【００４９】
次に、このシフトレジスタ回路１０の動作について、図１Ｂの動作タイミング図を参照して説明する。
【００５０】
制御部６２０は、水平同期信号に同期したクロック信号ＣＬＫ１，ＣＬＫ２を出力する。制御部６２０は、図１Ｂに示したようにクロック信号ＣＬＫ２に、一水平走査期間の最初のクロックに１.５周期のハイレベルが継続する期間（スタートパルス生成信号ＳＰ１）を形成する。
【００５１】
スタートパルス信号生成部１３は、前記クロック信号ＣＬＫ１（ハイレベル），ＣＬＫ２（ハイレベル：スタートパルス生成信号ＳＰ１）によって、スタートパルス信号（ＳＴＨ１）を生成し、生成したスタートパルス信号（ＳＴＨ１）をシフトレジスタ・ユニットＳＲ１に出力する。
【００５２】
シフトレジスタ・ユニットＳＲ１は、前記スタートパルス信号（ＳＴＨ１）をクロック信号ＣＬＫ１，ＣＬＫ２に基づいて転送し、パルス信号Ｓ１を出力する。次段のシフトレジスタ・ユニットＳＲ２は、前記パルス信号Ｓ１をクロック信号ＣＬＫ１，ＣＬＫ２に基づいて転送し、パルス信号Ｓ２を出力し、以降、この動作を最終段のシフトレジスタ・ユニットまで継続する。
【００５３】
尚、上記シフトレジスタ１０の構成は、Ｖドライバ３００のシフトレジスタ３０にも適用することができる。
【００５４】
このように、第１の実施形態では、シフトレジスタ回路１０にＮＡＮＤ回路１１およびインバータ１２からなるスタートパルス信号生成部１３を設け、スタートパルス信号（ＳＴＨ）を作成する構成としたため、スタートパルス信号を外部から供給する必要がなくなり、配線数や回路面積や入力端子数をも削減して回路規模を小さくすることができ、消費電力を低減することができる。従って、より小型化、軽量化が実現できる。更に、回路規模を小さくすることで、より省消費電力化ができる産業上の利用価値が高いシフトレジスタ回路、表示装置およびその表示装置を備えた携帯機器を提供することができる。
【００５５】
図４は、本発明のシフトレジスタ回路１０の第２の実施形態を示した図であり、図４Ａは、第２の実施形態を示したシフトレジスタ回路１０のブロック図であり、図４Ｂは、該第２の実施形態を示したシフトレジスタ回路１０の動作タイミング図、図４Ｃは、遅延回路１４の回路構成図である。
【００５６】
図４において、第１の実施形態に係るシフトレジスタ回路１０との構成上の違いは、遅延回路１４がスタートパルス信号生成部１３とシフトレジスタ・ユニットＳＲ１の入力端子（in）の間に挿入されている点である。これにより、スタートパルス信号生成部１３により生成されるスタートパルス信号（ＳＴＨ１）は、図４Ｂに示したように遅延回路１４に入力されて、所定時間遅延したスタートパルス信号２（ＳＴＨ２）として出力され、シフトレジスタ・ユニットＳＲ１，ＳＲ２，ＳＲ３，ＳＲ４，・・・が前記所定時間遅延して動作する。
【００５７】
このように、第２の実施形態では、更に、動作タイミングを最適に調整することができ、産業上の利用価値が高いシフトレジスタ回路，そのシフトレジスタ回路を備えた表示装置、その表示装置に用いられる駆動用半導体チップおよびその表示装置を備えた携帯機器を提供することができる。
【００５８】
図５は、本発明のシフトレジスタ回路１０の第３の実施形態を示した図であり、図５Ａは、第３の実施形態を示したシフトレジスタ回路１０のブロック図であり、図５Ｂは、該第３の実施形態を示したシフトレジスタ回路１０の順方向スキャン時の動作タイミング図、図５Ｃは逆方向スキャン時の動作タイミング図である。
【００５９】
図において、第２の実施形態に係るシフトレジスタ回路１０との構成上の違いは、第３の実施形態は、双方向スキャンタイプのシフトレジスタ回路であり、順方向スキャン（図面の左端から右端へのスキャン）時に動作する第２の実施形態の構成に加えて、逆方向スキャン（図面の右端から左端へのスキャン）時にスタートパルス信号（ＳＴＨ３）を生成するＮＯＲ回路よりなるスタートパルス信号生成部１６と前記生成されたスタートパルス信号（ＳＴＨ３）を所定時間遅延して出力する遅延回路１５がシフトレジスタ・ユニットＳＲの右端の段（最終段）ＳＲ１０１に接続されている点、更に、スキャン方向に応じてシフトレジスタ・ユニットＳＲの入力端子（in）と出力端子（out）を切り換える切り換えスイッチ（図示せず）を設けた点である。
【００６０】
順方向スキャン時には、制御部６２０は、図５Ｂに示したように一水平走査期間の最初に１.５周期のハイレベルが継続する期間（スタートパルス生成信号ＳＰ１）が形成されたクロック信号ＣＬＫ２を出力する。ＮＡＮＤ回路１１とインバータ１２からなるスタートパルス信号生成部１３は、クロック信号ＣＬＫ１（ハイレベル），ＣＬＫ２（ハイレベル）によりスタートパルス信号（ＳＴＨ１）を出力し、遅延回路１４は、該スタートパルス信号（ＳＴＨ１）を所定時間遅延した信号（ＳＴＨ２）を左端のシフトレジスタ・ユニットＳＲ１に出力する。
【００６１】
他方、逆方向スキャン時には、制御部６２０は、図５Ｃに示したように一水平走査期間の最初に１.５周期のロウレベルが継続する期間（スタートパルス生成信号ＳＰ２）が形成されたクロック信号ＣＬＫ２を出力する。ＮＯＲ回路１６からなるスタートパルス信号生成部１６は、クロック信号ＣＬＫ１（ロウレベル），ＣＬＫ２（ロウレベル：スタートパルス生成信号ＳＰ２）によりスタートパルス信号（ＳＴＨ３）を出力し、遅延回路１５は、該スタートパルス信号（ＳＴＨ３）を所定時間遅延した信号（ＳＴＨ４）を右端のシフトレジスタ・ユニットＳＲ１０１に出力する。
【００６２】
シフトレジスタ・ユニットＳＲ１０１は、前記スタートパルス信号（ＳＴＨ４）をクロック信号ＣＬＫ１，ＣＬＫ２に基づいて転送し、パルス信号Ｓ１００をシフトレジスタ・ユニットＳＲ１００に出力する。シフトレジスタ・ユニットＳＲ１００は、前記パルス信号Ｓ１００をクロック信号ＣＬＫ１，ＣＬＫ２に基づいて転送し、パルス信号Ｓ９９をシフトレジスタ・ユニットＳＲ９９に出力し、以降、この動作を左端段のシフトレジスタ・ユニットＳＲ１まで継続する。
【００６３】
このように、第３の実施形態では、双方向タイプのシフトレジスタ回路において、順方向スキャン時にスタートパルス信号を生成するＮＡＮＤ回路１１およびインバータ１２からなるスタートパルス信号生成部１３を設け、また、逆方向スキャン時にスタートパルス信号を作成するＮＯＲ回路からなるスタートパルス信号生成部１６を設けた構成としたため、スタートパルス信号を外部から供給する必要がなくなり、配線数、回路面積、入力端子数を削減して回路規模を小さくすることができ、更に、消費電力を低減することができる。従って、より小型化、軽量化が実現でき、更に、より省消費電力化ができる産業上の利用価値が高いシフトレジスタ回路，そのシフトレジスタ回路を備えた表示装置、その表示装置に用いられる駆動用半導体チップおよびその表示装置を備えた携帯機器を提供することができる。
【００６４】
なお、上記のシフトレジスタ回路の構成は、図３に示すＨドライバ１００のシフトレジスタ回路１０に適用されるのみならず、Ｖドライバ３００のシフトレジスタ回路３０に適用することも可能である。
【００６５】
今回開示された実施形態は、すべての点で例示であって本発明は、前述の実施の形態に限定されるものではなく、制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００６６】
たとえば、上記実施形態では、本発明を、表示装置の一例としての液晶パネル２００を採用した例を示したが、本発明はこれに限らず、表示パネルを備えた表示装置であれば、有機ＥＬなどの他の表示パネルを採用することができる。
【００６７】
また、上記実施例では、携帯機器として、携帯電話機、デジタルカメラ、ＰＤＡ（Personal Digital Assistance）、携帯用ゲーム機、小型パソコン、液晶プロジェクターなどに採用する構成を例に説明したが、携帯機器以外の装置、例えば、テレビ等の表示装置に採用してもよい。
【図面の簡単な説明】
【００６８】
【図１】図１Ａは本発明の第１の実施形態に係るシフトレジスタ回路１０のブロック図であり、図１Ｂは動作タイミング図である。
【図２】シフトレジスタ・ユニットＳＲ１，ＳＲ２，ＳＲ３，ＳＲ４，・・・のブロック図である。
【図３】本発明の実施形態に係る携帯機器８００のブロック構成図である。
【図４】図４Ａは本発明の第２の実施形態に係るシフトレジスタ回路１０のブロック図であり、図４Ｂは動作タイミング図、図４Ｃは遅延回路１４の回路構成図である。
【図５】図５Ａは第３の実施形態に係るシフトレジスタ回路１０のブロック図であり、図５Ｂは順方向スキャン時の動作タイミング図、図５Ｃは逆方向スキャン時の動作タイミング図である。
【図６】従来のシフトレジスタ回路の構成を示したブロック図である。
【符号の説明】
【００６９】
１０      シフトレジスタ回路
３０      シフトレジスタ回路
ＳＲ１，ＳＲ２，ＳＲ３，ＳＲ４，・・・，ＳＲ１０１    シフトレジスタ・ユニット
ｃｌｋ１ｉｎ，ｃｌｋ２ｉｎ    クロック入力端子
ＣＬＫ１，ＣＬＫ２，ＣＬＫ３，ＣＬＫ    クロック信号
ＳＴＨ１，ＳＴＨ２，ＳＴＨ３，ＳＴＨ４    スタートパルス信号
ＳＰ１，ＳＰ２    スタートパルス生成信号ＳＰ１
ｉｎ      入力端子
ｏｕｔ    出力端子
１１      ＮＡＮＤ回路
１２      インバータ
１３      スタートパルス信号生成部
１４，１５    遅延回路
１６      スタートパルス信号生成部（ＮＯＲ回路）
２０      第１のクロックドインバータ
２１      第２のクロックドインバータ
２２，２３      インバータ
１００    Ｈ（水平）ドライバ
２００    液晶パネル（アクティブマトリクス型表示パネル）
３００    Ｖ（垂直）ドライバ
４００    液晶表示モジュール（表示装置）
４１０    透明基板
６００    駆動用ＩＣ（駆動部、駆動用半導体チップ）
６１０    映像信号処理部
６２０    制御部（スタートパルス信号生成部）
７００    携帯機器制御部
８００    携帯機器
【図１】
2006269002.tif 000003
【図２】
2006269002.tif 000004
【図３】
2006269002.tif 000005
【図４】
2006269002.tif 000006
【図５】
2006269002.tif 000007
【図６】
2006269002.tif 000008